(57)【特許請求の範囲】
【請求項１】
使用者が押圧可能な複数の選択ボタンと、
使用者の識別情報と押圧された選択ボタンの情報とを少なくとも記憶可能で、記憶された情報をホスト装置に無線送信可能な通信モジュールと、を備えたシート状の情報収集装置であって、
使用者が押圧した前記選択ボタンの情報を取り消すための取消ボタンを備え、
前記通信モジュールは、ＩＣチップと、このＩＣチップに電源電圧を供給するボタン電池と、を有し、
前記ＩＣチップは、
押圧された前記選択ボタンを特定する情報と、押圧された時刻情報とを時系列で記憶する記憶部と、
前記記憶部に情報を記憶する制御を行う制御部と、
前記ホスト装置との間で近接無線通信を行う無線通信部と、を有し、
前記制御部は、前記取消ボタンが押圧されると、前記取消ボタンが押圧される直前に押圧された前記選択ボタンの押圧情報を取り消す旨の情報を前記記憶部に記憶することを特徴とする情報収集装置。
【請求項２】
前記複数の選択ボタンの少なくとも一部は、二次元方向に複数個ずつ配置されており、
二次元方向に複数個ずつ配置された選択ボタンは、
第１方向に沿って配置される複数の選択ボタンからなる第１ボタン列と、
前記第１ボタン列に略平行に第２方向に沿って配置される複数の第２ボタン列と、を有し、
前記制御部は、前記第１ボタン列から選択された一つの選択ボタンの押圧情報と、この選択ボタンと同じ列に位置する前記複数の第２ボタン列内の複数の選択ボタンの押圧情報とを組合せた情報を前記記憶部に記憶することを特徴とする請求項１に記載の情報収集装置。
【請求項３】
シート基板上に形成される、前記複数の選択ボタンのそれぞれに対応した複数のスイッチ接点と、
前記シート基板上に複数の端子を一列に並べて配置される端子部と、
前記複数のスイッチ接点と前記複数の端子とを接続する複数の導電パターンと、を備え、
前記複数のスイッチ接点は、
前記第１ボタン列に対応して設けられ、前記第１方向に沿って配置された複数のスイッチ接点からなる第１スイッチ接点列と、
前記複数の第２ボタン列に対応して設けられ、前記第１ボタン列に略平行に前記第２方向に沿って配置された複数のスイッチ接点からなる第２スイッチ接点列と、を有し、
前記第２スイッチ接点列のうち、前記第１方向に沿って配置された各列の複数のスイッチ接点の各一端は前記端子部内の同じ端子に接続され、各他端は前記端子部の接地端子に接続されることを特徴とする請求項２に記載の情報収集装置。
【請求項４】
シート基板の第１層上に配置される任意に選択可能な複数のボタンと、
前記シート基板の第２層上に配置され、前記複数のボタンのそれぞれに対応する複数のスイッチ接点と、
前記第２層上に複数の端子を一列に並べて配置される端子部と、
前記複数のスイッチ接点と前記複数の端子とを接続する複数の導電パターンと、を備え、
前記複数のボタンのうち２以上の一部のボタンは一方向に配置されて、これらボタンに対応するスイッチ接点の各一端は前記導電パターンを介して前記端子部の同じ端子に接続され、各他端は前記導電パターンを介して前記端子部の接地端子に接続され、
前記複数のボタンは、
それぞれが２以上の候補から一つを選択する２以上のボタンからなる複数のボタン列と、
各ボタン列による選択を開始することを指示する複数の開始指示ボタンと、を有し、
前記複数の開始指示ボタンに対応する複数のスイッチ接点の各一端は前記導電パターンを介して前記端子部の同じ端子に接続され、各他端は前記導電パターンを介して前記端子部の接地端子に接続されることを特徴とする情報収集装置。
【請求項５】
前記開始指示ボタンの少なくとも一つは、アラーム鳴動の停止指示を兼ねることを特徴とする請求項４に記載の情報収集装置。
【発明の詳細な説明】
【技術分野】
【０００１】
本発明は、ボタンの押圧情報を、通信モジュールを介してホスト装置に無線送信可能なシート状の情報収集装置に関する。
【背景技術】
【０００２】
シート上に導電パターンをシルク印刷し、導電パターンの端子部に導電性接着剤を介して通信モジュールのパッドを電気的に接続したシート状の検定装置が実用化されている（特許文献１参照）。
【０００３】
特許文献１に開示された検定装置は、郵便物としてユーザに送付でき、受け取ったユーザが表紙を剥がすと、内側の頁には、いくつかの選択ボタンとその説明文が設けられており、説明文の内容にしたがって任意の選択ボタンを押圧すると、その情報が紙基板に埋め込まれた通信モジュールに記憶され、記憶された情報は近接無線通信でホスト装置で読み出せるようにしている。
【先行技術文献】
【特許文献】
【０００４】
【特許文献１】特表２００８−５１６２４８号公報
【発明の概要】
【発明が解決しようとする課題】
【０００５】
しかしながら、特許文献１に開示された検定装置は、ユーザが選択ボタンを押し間違えても、その取り消しができず、押し間違えた選択ボタンの情報がそのままホスト装置に送信されてしまう。
【０００６】
また、各選択ボタンは、導電パターンの異なる端子に接続されており、選択ボタンの総数は、導電パターンの端子数によって制限されてしまう。紙基板のサイズは限られているため、導電パターンの端子数を増やすことは容易ではなく、結果として、数多くの選択ボタンを設けることはできない。
【０００７】
さらに、紙基板上の選択ボタンは、各ボタンの近傍に小さな説明書きが記載されていることが多いが、お年寄りや障害者は説明書きを読むのにも時間がかかることから、特に選択ボタンの数が多い場合には、適切なボタンを選択するのが容易でないという問題がある。
【０００８】
本発明は、上述した問題点を考慮に入れてなされたものであり、ボタン選択が容易で、ユーザにとって使い勝手がよい情報収集装置を提供するものである。
【課題を解決するための手段】
【０００９】
上記の課題を解決するために、本発明の一態様では、使用者が押圧可能な複数の選択ボタンと、
使用者の識別情報と押圧された選択ボタンの情報とを少なくとも記憶可能で、記憶された情報をホスト装置に無線送信可能な通信モジュールと、を備えたシート状の情報収集装置であって、
使用者が押圧した前記選択ボタンの情報を取り消すための取消ボタンを備え、
前記通信モジュールは、ＩＣチップと、このＩＣチップに電源電圧を供給するボタン電池と、を有し、
前記ＩＣチップは、
押圧された前記選択ボタンを特定する情報と、押圧された時刻情報とを時系列で記憶する記憶部と、
前記記憶部に情報を記憶する制御を行う制御部と、
前記ホスト装置との間で近接無線通信を行う無線通信部と、を有し、
前記制御部は、前記取消ボタンが押圧されると、前記取消ボタンが押圧される直前に押圧された前記選択ボタンの押圧情報を取り消す旨の情報を前記記憶部に記憶することを特徴とする情報収集装置が提供される。
また、本発明の他の一態様では、シート基板の第１層上に配置される任意に選択可能な複数のボタンと、
前記シート基板の第２層上に配置され、前記複数のボタンのそれぞれに対応する複数のスイッチ接点と、
前記第２層上に複数の端子を一列に並べて配置される端子部と、
前記複数のスイッチ接点と前記複数の端子とを接続する複数の導電パターンと、を備え、
前記複数のボタンのうち２以上の一部のボタンは一方向に配置されて、これらボタンに対応するスイッチ接点の各一端は前記導電パターンを介して前記端子部の同じ端子に接続され、各他端は前記導電パターンを介して前記端子部の接地端子に接続されることを特徴とする情報収集装置が提供される。
【発明の効果】
【００１０】
本発明によれば、ボタン選択が容易で、ユーザにとって使い勝手がよい情報収集装置を提供できる。
【図面の簡単な説明】
【００１１】
【図１】本発明の第１の実施形態に係る情報収集装置の外観図。
【図２】図１の情報収集装置の展開図。
【図３】通信モジュール１０の概略構成を示すブロック図。
【図４】ＡＳＩＣ１２の内部構成の一例を示すブロック図。
【図５】図１の服薬記録カード１の使用手順の一例を示すフローチャート。
【図６】服薬記録カード１の元となる紙基板３０を展開した図。
【図７】第１の実施形態に係る服薬記録カード１の製造工程を説明する図。
【図８】本発明の第２の実施形態に係る情報収集装置を示す図。
【図９】図８の情報収集装置の展開図。
【発明を実施するための形態】
【００１２】
以下、本発明の実施の形態について、詳細に説明する。
（第１の実施形態）
第１の実施形態は、患者が薬を服用した日時と服用後の具合を記録するものである。図１は第１の実施形態に係る情報収集装置の外観図である。図１の情報収集装置は、紙またはプラスチックシートからなるシート状の服薬記録カード１であり、折り畳み式になっていて、展開すると図２のような情報入力面２が現れる。
【００１３】
図１の服薬記録カード１は、患者が病院での診察を終えて、処方箋に基づいて薬の調合が終わった段階で患者に渡されるものである。この服薬記録カード１では、患者が薬を服用した後に、患者自ら選択ボタンを押圧して、体の具合を記録できるようにしている。
【００１４】
図２の服薬記録カード１の情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「服薬記録カード１」と記載された面である。
【００１５】
第３面２ｃには、薬の効用に関連する複数の症状が記載されている。図２の例では、(1)症状１、(2)症状２、(3)症状３、(4)症状４および(5)症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００１６】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００１７】
なお、第３面２ｃに記載された症状とその度合いは、あくまで一例にすぎず、薬の種類によって任意に変更して構わない。
【００１８】
患者は、服薬記録カード１を初めて使用するときに、スタートボタン３を押圧する。その後、患者は、第２面２ｂに配置された錠剤５のケースを指で押し込んで、第２面２ｂの下面側から薬を取り出して、服用する。そして、服用後の症状の度合いに該当する選択ボタン６，７を押圧する。
【００１９】
患者が押圧したスタートボタン３、取り消しボタン４、錠剤５の各ケースおよび各選択ボタン６，７の情報は、服薬記録カード１内に内蔵された通信モジュールに自動的に記憶される仕組みになっている。
【００２０】
図３は通信モジュール１０の概略構成を示すブロック図である。図３の通信モジュール１０は、紙厚よりも薄い薄膜状であり、フィルム基板１１の上に実装されたＡＳＩＣ（Application Specific Integrated Circuit）１２と、水晶振動子１３と、ボタン電池１４と、スピーカ１５と、フィルム基板１１の長辺に沿って形成される複数のパッド１６と、フィルム基板１１の外縁部に沿って形成されるアンテナパターン１７と、フィルム基板１１上に形成される導電パターン１８とを有する。
【００２１】
図３は通信モジュール１０の内部構成を機能化したブロック図であり、実際の各回路部品やパターンの配置やサイズ、形状、個数は任意に変更可能である。
【００２２】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００２３】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００２４】
このような取り消しボタン４を設けることで、その直前に押圧したボタンの情報を取り消すことができる。実際には、記憶部２１に一度記憶した情報を削除したり、上書きすることはできないが、記憶部２１に誤った情報を記憶してしまったときは、取り消しボタン４を押圧することで、その情報が誤っている旨の情報を追加で記憶する。これにより、ホストコンピュータで読み出したときには、情報が正しいかどうかを簡易かつ正確に判別できる。また、患者は、何度でも、ボタン操作をやり直すことができ、間違いが許されないという精神的な負担から解放される。
【００２５】
無線通信部２３は、ホストコンピュータとの間で、いわゆるＮＦＣ（Near Field Communication、近接無線通信）を行って、情報の送受を行う。無線通信部２３が無線通信に用いる方式や周波数帯域は特に制限されるものではなく、例えば13.56MHzの帯域でISO14443に準拠した無線方式で無線通信を行う。
【００２６】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００２７】
ボタン電池１４を搭載する以上、長期間使用すると、バッテリ切れを起こすが、本実施形態に係る服薬記録カード１は、紙製であることも多く、長期間の使用には耐えられないことから、バッテリ切れを起こしたら、服薬記録カード１自体を交換することを念頭に置いている。
【００２８】
図５は図１の服薬記録カード１の使用手順の一例を示すフローチャートである。まず、病院の医師または医療関係者は、処方箋に従って所定の薬が組み込まれた服薬記録カード１を、ホストコンピュータに接続されたリーダにかざして、服薬記録カード１を初期化した後に、服薬記録カード１内の記憶部２１に患者を特定する情報を記憶する（ステップＳ１）。また、第２面２ｂに組み込まれた各錠剤の脇に、手書き等で、患者が錠剤を服用する日時を記入する。この記入作業は、必須ではなく、患者に必要に応じて記入させてもよい。
【００２９】
その後、服薬記録カード１を患者に手渡す（ステップＳ２）。患者は、服薬記録カード１を開いて、最初に錠剤を服用する前に、スタートボタン３を押圧する（ステップＳ３）。その後、指定された時刻に錠剤を取り出して服用する（ステップＳ４）。
【００３０】
患者は、錠剤を服用した後に、第３面２ｃの記載に従って、該当する症状の度合いに対応する選択ボタンを押圧する（ステップＳ５）。
【００３１】
患者が押圧したスタートボタン３や錠剤５のケースの押圧情報は、時刻情報とともに、通信モジュール１０の記憶部２１に自動的に記憶される。また、スタートボタン３や選択ボタンを押し間違えたときは、その直後に取り消しボタン４を押圧することで、直前の押圧情報が間違いであることを示す情報が記憶部２１に記憶される。これにより、事実上、間違ったボタン操作を取り消すことができる。
【００３２】
患者は、すべての薬の服用が終わった段階、あるいは次の診療時に、服薬記録カード１を病院に手持ちする（ステップＳ６）。そして、病院の医師または医療関係者は、患者から服薬記録カード１を受け取って、ホストコンピュータに接続されたリーダにかざして、服薬記録カード１の記憶部２１に記憶された情報をホストコンピュータに読み込んで、画面に表示する（ステップＳ７）。医師は、画面に表示された服薬記録カード１に記憶された情報を見ながら、薬の服用の効用を確認して、患者の診察を行う（ステップＳ８）。
【００３３】
このように、服薬記録カード１は、患者が薬を服用した後に、患者がどのような症状を覚えたかを逐一記憶しているため、医師は、患者の記憶に頼らずに、処方した薬の服用後の患者の症状を正確かつ具体的に時系列的に把握でき、患者の治療を的確に行うことができ、誤診も防止できる。
【００３４】
次に、本実施形態に係る服薬記録カード１の具体的構造について説明する。上述した服薬記録カード１は、１枚の紙基板を縦方向に三等分して折り畳んだ三層構造であり、その表面に図２に示す情報入力面２が現れるようにしている。これをさらに横方向に三等分して折り畳むと図１に示す構造になる。以下では、大元の１枚の紙基板に形成される導電パターンについて説明する。
【００３５】
図６は服薬記録カード１の元となる紙基板３０を展開した図である。図６の紙基板３０を縦方向に三等分した折り目６１で分割した各分割基板３０ａ，３０ｂ，３０ｃには、それぞれ異なる導電パターン１８や切り欠き等が設けられる。なお、これら３つの分割基板３０ａ~３０ｃは、折り目６１で折り曲げ可能とされており、物理的に切り離されるものではない。
【００３６】
図６の中央の分割基板３０ｂは、最下層に配置されて導電パターン１８が形成される最下層基板３０ｂである。その右側の分割基板３０ｃは、主に切り欠き６２とミシン目６３が形成され、最下層基板３０ｂの上に配置される中間層基板３０ｃである。最下層基板３０ｂの左側の分割基板３０ａは、スイッチ接点の導通／遮断を行う導電パターン３８が形成され、中間層基板３０ｃの上に配置される最上層基板３０ａである。
【００３７】
後述するように、三等分された最下層基板３０ｂに中間層基板３０ｃを折り畳んで熱圧着した後に、その上に最上層基板３０ａを折り畳んで熱圧着することにより、図２の構造が得られる。したがって、図６に示す最上層基板３０ａの裏面側が、図２に示す情報入力面２になる。
【００３８】
最下層基板３０ｂの上に中間層基板３０ｃを折り畳んで熱圧着する前に、最下層基板３０ｂに通信モジュール１０が接合され、その上に中間層基板３０ｃが熱圧着される。このように、通信モジュール１０は、最下層基板３０ｂと中間層基板３０ｃの間に挟み込まれる。これにより、最下層基板３０ｂの表面に形成された導電パターン１８と通信モジュール１０は、服薬記録カード１の完成状態では、外見に現れない。同様に、最上層基板３０ａ上の導電パターンも、中間層基板３０ｃの上に折り畳まれて熱圧着されるため、外見に現れない。
【００３９】
次に、最下層基板３０ｂの表面に形成された導電パターン１８について図６を用いて説明する。図６の導電パターン１８は、横方向に三等分された第１〜第３面２ａ〜２ｃからなる情報入力面２に対応した第１〜第３パターン面３０ｂ１〜３０ｂ３を有する。
【００４０】
第１パターン面３０ｂ１は、スタートボタン３に対応したスイッチ接点３１と、取り消しボタン４に対応したスイッチ接点３２とを有する。第２パターン面３０ｂ２は、錠剤５の各ケースに対応した計６つのスイッチ接点３３を有する。第３パターン面３０ｂ３は、患者の症状および症状の程度を選択する各選択ボタンに対応した計１５個のスイッチ接点３４〜３７を有する。
【００４１】
これらスイッチ接点３１〜３７のうち、錠剤５の各ケースに対応した計６つのスイッチ接点３３は初期状態で導通しており、それ以外の全てのスイッチ接点３１，３２，３４〜３７は初期状態で遮断されている。
【００４２】
錠剤５の各ケースに対応したスイッチ接点３３は、ケースを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００４３】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４４】
図６に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。この接地パターン１８ａは、ノイズの低減を図るために、他の導電パターンよりも太く形成されている。
【００４５】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、接点の状態が変化した時刻情報とを記憶する。
【００４６】
第３パターン面３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００４７】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図６の例では、計５個のスイッチ接点が並列接続された第２スイッチ接点列３５〜３７が計３個設けられている。
【００４８】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００４９】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００５０】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００５１】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。
【００５２】
図７は第１の実施形態に係る服薬記録カード１の製造工程を説明する図である。以下、図７を用いて上述した第１の実施形態に係る服薬記録カード１の製造工程を説明する。まず、図６に示す大きさの紙基板３０の裏面側に所定の文字情報（例えば、図１や図２の表面の文字情報など）を印刷する（ステップＳ１１）。次に、図６に示す３つの分割基板のうち中央の最下層基板３０ｂの表面に導電パターン１８、スイッチ接点３１〜３７および端子部３９の各端子とを形成する（ステップＳ１２）。同様に、最上層基板３０ａの表面にも、各スイッチ接点の位置に合わせて、円形の導電パターン３８を形成する。これらは、例えば導電性カーボン、酸化銅または銀などを用いてシルク印刷により形成される。
【００５３】
次に、最下層基板３０ｂと最上層基板３０ａにおける、各スイッチ接点３１〜３７の周囲と通信モジュール１０の配置場所と、導電パターン３８の周囲とを除いたほぼ全面に、異方導電性接着剤を塗布する（ステップＳ１３）。この異方導電性接着剤は、一方向（Ｘ方向）のみに導電性を持っており、端子部３９の各端子上や導電パターン１８上に塗布されても、異なる端子同士が短絡するおそれはない。
【００５４】
なお、端子部３９の上のみに導電性接着テープを貼付して、他の部分には非導電性の接着剤を塗布してもよい。これら接着剤または接着テープの基本材料は、エポキシ系樹脂またはアクリル系樹脂であり、導電材料の粒子を配合したものである。
【００５５】
次に、紙基板３０の外形を金型で抜いて整形するとともに、各分割基板の境界部分に罫線加工により折り目６１をつける（ステップＳ１４）。この工程では、中間層基板３０ｃに、各ボタンの位置と通信モジュール１０の位置に合わせて孔（切り欠き）６２がそれぞれ形成されるとともに、錠剤５のケース位置に合わせてミシン目６３が形成される。また、各分割基板ごとに、横方向に三等分した位置に折り目６４をつける。
【００５６】
次に、中間層基板３０ｃが最下層基板３０ｂの上になるように折り目６１で折り曲げて両分割基板を貼り合わせて、ローラにて熱圧着する（ステップＳ１５）。
【００５７】
次に、中間層基板３０ｃに設けた孔位置から露出している中間層基板３０ｃの第１パターン面３０ｂ１上に、通信モジュール１０を実装する（ステップＳ１６）。ここでは、通信モジュール１０のパッド１６と第１パターン面３０ｂ１上の端子部３９とを位置合わせして、上述した異方導電性接着剤または導電性テープを介して両者を熱圧着する。
【００５８】
次に、最上層基板３０ａが中間層基板３０ｃの上になるように折り目６１で折り曲げて両分割基板を貼り合わせて、ローラにて熱圧着する（ステップＳ１７）。以上の工程を経て、図２に示す服薬記録カード１が完成する。
【００５９】
このように、第１の実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００６０】
また、取り消しボタン４を設けることで、ボタン操作を間違ってはいけないという患者の精神的な負担を軽減できる。
【００６１】
さらに、少なくとも一部の選択ボタン３５〜３７に対応するスイッチ接点を並列接続して、同一の端子に接続するため、端子部３９内の端子の総数および通信モジュール１０のパッド１６の数に制限されずに、可能な限り多くの選択ボタンをカード内に設けることができる。これにより、多種類の選択情報を通信モジュール１０に記憶でき、患者が薬を服用した際の効用等をよりきめ細かく収集できる。また、複数のスイッチ接点を並列接続して同一の端子に接続したとしても、別のスイッチ接点群との組合せにより、特定のボタンが押圧されたことを正しく検出して通信モジュール１０に伝達でき、使用上の問題が生じることはない。
さらに、これら選択ボタン３５〜３７に対応するスイッチ接点は並列接続されるため、選択ボタン３５〜３７の配置順番は任意に変えられることから、ボタン配置の自由度が広がり、ユーザに取ってわかりやすくて誤操作が少ないボタン配置を選択することが容易になる。
【００６２】
（第２の実施形態）
以下に説明する第２の実施形態は、第１の実施形態とは異なる特徴的なスイッチ接点の配置を備えたものである。
【００６３】
図８は本発明の第２の実施形態に係る情報収集装置を示す図である。図８の情報収集装置は、患者の苦痛度を記録する苦痛度記録カード４０であり、図９はその展開図を示している。この展開図を折り畳むと、図１と同様の形態になる。
【００６４】
図８の苦痛度記録カード４０は、第１〜第３面２ａ〜２ｃからなる情報入力面２を有する。第１面２ａは、スタートボタン（開始指示ボタン）４１と、患者の苦痛度を選択する３つの選択ボタン４２と、薬の服用後に押圧すべき服用記録ボタン４３とを有する。第２面２ｂは、アラームを停止させる停止ボタン（開始指示ボタン）４４と、患者の苦痛度を選択する３つの選択ボタン４５とを有する。第３面２ｃは、つらさ度合いのチェックを開始するためのスタートボタン４６と、患者のつらさ度合いを選択する３つの選択ボタン４７とを有する。
【００６５】
図８の苦痛度記録カード４０では、患者が薬の服用後に服用記録ボタン４３を押圧すると、その１時間後に自動的にアラームが鳴動するようになっており、アラームが鳴ったら、患者はまずは停止ボタン４４を押圧してアラームを停止させた後に、再度苦痛度を選択することになる。
【００６６】
患者は、第１面２ａのスタートボタンを押圧した後、指示に従って、順に上から下までボタン操作を行うのが本来の使い方である。ボタン操作は指定されたボタンを正しく押圧することが原則であるが、アラームが急に鳴り出すと、患者はあわててしまって、停止ボタン４４をすぐには発見できず、結果として、アラームが長時間鳴り続けることになり、患者に余計な精神的な負担を与えるおそれがある。
【００６７】
そこで、本実施形態では、スタートボタン４１，４６と停止ボタン４４のどれを押圧しても、同じ機能を果たすようにしている。すなわち、スタートボタン４１，４６と停止ボタン４４のどれを押圧しても、同じ選択情報が通信モジュール１０に伝達されるようにしている。これにより、アラームを止めるには、スタートボタン４１，４６と停止ボタン４４の計３つのボタンのどれを押圧してもよくなり、ボタンの選択動作が容易となり、患者の利便性が向上する。
【００６８】
また、図８の苦痛度記録カード４０では、スタートボタン４１，４６を押圧した後と、停止ボタン４４を押圧した後とのいずれにおいても、患者の苦痛度またはつらさ度合いを選択ボタン４２，４５，４７で選択するようになっている。これらの選択ボタンは、スタートボタン４１，４６と停止ボタン４４のそれぞれごとに別個に設けられており、患者がどの選択ボタンを押圧したかで、１度目の苦痛度選択動作か、その後の再度の苦痛度選択動作か、その後のつらさ度合いの選択動作かを正しく検出できる。よって、計２つのスタートボタン４１，４６と停止ボタン４４のいずれを患者が押したとしても、選択ボタン４２，４５，４７の押圧情報を正しく通信モジュール１０に伝達できる。
【００６９】
このため、本実施形態では、計２つのスタートボタン４１，４６と停止ボタン４４については、どれを押しても、それに引き続いて、苦痛度またはつらさ度合いの選択ボタン４２，４５，４７を押圧することを認めている。
【００７０】
これにより、例えば患者は、アラームが鳴り出したら、第１情報入力面２または第３情報入力面２のスタートボタン４１または４６を押圧してアラームを停止させた後、第２情報入力面２の選択ボタンの選択操作を行ってもよい。
【００７１】
図９は図８の苦痛度記録カード４０の縦方向に三等分された３つの分割基板を示している。中央の最下層基板３０ｂは横方向に三等分された第１〜第３パターン面３０ｂ１〜３０ｂ３を有する。各パターン面には、スタートボタン４１，４６、停止ボタン４４および選択ボタンのそれぞれに対応してスイッチ接点５１〜５７が設けられている。また、最下層基板３０ｂの左側の最上層基板３０ａには、各スイッチ接点の導通／遮断を切り替える円形の導電パターン３８が設けられている。
【００７２】
上述したように、本実施形態では、計２つのスタートボタン４１，４６と停止ボタン４４のどれを押圧しても同じように機能し、各ボタンの識別を行わないようにしている。これを実現するために、これら３つのボタン４１，４４，４６に対応する３つのスイッチ接点５１，５４，５６は、並列接続されており、各スイッチ接点の一端は共通の端子に接続され、他端は接地端子に接続されている。これにより、計２つのスタートボタン４１，４６と停止ボタン４４のどれを押圧しても、同じ押圧情報が通信モジュール１０に伝達される。
【００７３】
このように、第２の実施形態では、スイッチボタン４１，４６と停止ボタン４４については、どのボタンを押しても同じように機能するように、これらボタンに対応するスイッチ接点５１，５４，５６を並列接続して一端を共通の端子に接続して、他端を接地端子に接続するため、患者は自分の押しやすい位置にあるボタンを押すことができ、利便性が向上する。特に、アラームの音を消したい場合など、咄嗟の判断を要求される場合に、ボタンを探す手間を省くことができ、患者に精神的な負担を与えるおそれがなくなる。
【００７４】
（その他の変形例）
上述した第１および第２の実施形態における各種ボタンの配置および数、各ボタンに対応したスイッチ接点の配置および数、各スイッチ接点に接続される導電パターン１８の形態、端子部３９の端子の数等は一例であり、情報収集装置の使用目的に応じて、任意に変更して構わない。
【００７５】
第１の実施形態の特徴と第２の実施形態の特徴は任意に組み合わせてもよい。例えば第２の実施形態に係る苦痛度記録カード４０に取り消しボタンを設けてもよいし、第１の実施形態に係る服薬記録カード１に、機能が同一の複数のボタンを設けてもよい。
【００７６】
第１および第２の実施形態に係る情報収集装置は、服薬記録カード１と苦痛度記録カード４０だけとは限らず、種々の目的（例えば、糖尿病治療経過記録カード、リウマチ用治療経過記録カード、疼痛・服薬記録カードなど）に適用可能である。用途も、必ずしも医療目的でなくてもなく、アンケート収集など、何らかの情報を記録して、記録した情報を無線通信でホストコンピュータに送信可能なものであれば、どのような用途に用いてもよい。
【００７７】
第１および第２の実施形態に係る情報収集装置の組立構造は、図６等に示したものに限定されない。母材は必ずしも紙でなくてもよく、樹脂等の他の材料でもよい。また、通信モジュール１０は、必ずしも電池駆動型でなくてもよく、ＮＦＣで受信した電力を蓄積して、その蓄積電力で無線通信を行うバッテリレスにしてもよい。
【００７８】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７９】
１  服薬記録カード、２  情報入力面、３  スタートボタン、４  取り消しボタン、５  薬（錠剤）、６（６ａ〜６ｅ）  選択ボタン、７（７ａ〜７ｃ）  選択ボタン、１０  通信モジュール、１１  フィルム基板、１２  ＡＳＩＣ、１３  水晶振動子、１４  ボタン電池、１５  スピーカ、１６  パッド、１７  アンテナパターン、１８  導電パターン、１８ａ  接地パターン、３０  紙基板、３０ａ，３０ｂ，３０ｃ  分割基板、３０ｂ１  第１パターン面、３０ｂ２  第２パターン面、３０ｂ３  第３パターン面、３１〜３７  スイッチ接点、３９  端子部、４０  苦痛度記録カード、４１  スタートボタン、４２  選択ボタン、４３  服用記録ボタン、４４  停止ボタン、４５  選択ボタン、４６  スタートボタン、４７  選択ボタン、  ５１〜５７  スイッチ接点、６１，６４  折り目、６２  孔（切り欠き）、６３  ミシン目
【図１】
0005888594.tif 000002
【図２】
0005888594.tif 000003
【図３】
0005888594.tif 000004
【図４】
0005888594.tif 000005
【図５】
0005888594.tif 000006
【図６】
0005888594.tif 000007
【図７】
0005888594.tif 000008
【図８】
0005888594.tif 000009
【図９】
0005888594.tif 000010